(57)【特許請求の範囲】
【請求項１】
下ろくろの外周面に捲回されることにより受骨端を枢支するワイヤ（４）のねじり締め部分（４ａ）を、下ろくろの外周面の一部にコーティングした合成樹脂材より成る被履層（５）によって被履したことを特徴とする洋傘の下ろくろ。
【請求項２】
下ろくろの外周面に捲回されることにより受骨端を枢支するワイヤ（４）のねじり締め部分（４ａ）を該下ろくろの縦溝（３ｃ）に押込んだ構成において、前記ねじり締め部分（４ａ）を覆わせて下ろくろの外周面に塗布した合成樹脂材を硬化せしめることにより被覆層（５）を形成したことを特徴とする洋傘の下ろくろ。
【発明の詳細な説明】
【０００１】
【産業上の利用分野】
この発明は洋傘において中棒上に摺動可能に設けられ受骨端を回動自在に支持して、中棒上で上下摺動操作されて洋傘を開閉させる下ろくろに関し、操作時の安全を図ったものである。
【０００２】
【従来の技術】
図２ないし図４に示すように洋傘において中棒１上に摺動可能に設けられ複数本の受骨２をその基端で回転自在に支持する下ろくろ３は、該下ろくろ３の外周面に捲回したワイヤ４によって受骨端を枢支するものとされている。より具体的には下ろくろ３において外径を拡大されている受骨支持部の外周面に、受骨２の基端部を挿入する複数の縦溝３ａとワイヤ４を嵌め込む周溝３ｂを形成し、周溝３ｂ内に臨ませて受骨支持部の外周面に捲回するワイヤ４を受骨基端部の透孔に挿通して、受骨２の回動自在な支持を得ている。受骨２を支持させた上でワイヤ４は端同士をねじり合せて下ろくろ３上に締付けられ、したがってワイヤ４は図３に示すように環状体から突出するねじり締め部分４ａを有する。
【０００３】
ワイヤ４のねじり締め部分４ａが下ろくろ３の外方へ突出することを避けるために、下ろくろ３の受骨支持部外周面には図４に示すように該ねじり締め部分４ａを挿入するための縦溝３ｃも形成されている。ワイヤ４はねじり締め後にねじり締め部分４ａ端を切断し該部分４ａを極力短かくした上で縦溝３ｃ内に押込むように図られるのであるが、時には作業者の不注意等からして図４に示すように、切断後の長さがなお過大であり、しかも縦溝３ｃ内に押込まれずして下ろくろ３の外方へ突出する状態となることがある。また切断端がねじり戻されて鋭利な状態をとることがある。図４に示すような下ろくろ３を備えた洋傘では、図２に示すように下ろくろ３の下端部分と中棒１とを握った手の指を受骨２間で上方へのばし、受骨支持部の上面段部にその指を掛けて下ろくろ３を上下摺動操作し洋傘の開閉を行う時、手の指がワイヤ４のねじり締め部分４ａに触れたとすると怪我をする可能性があり、そのような事例は決っして皆無ではない。また怪我をしないとしてもねじり締め部分４ａの突出端に触れると指先が圧迫され、痛みを伴う不快感を覚えることになる。
【０００４】
このような不具合を解消するために従来提案されている技術として、実公昭３８−１０７５号公報に開示のものがある。この従来技術は下ろくろの大径の受骨支持部をプラスチック等から成る環状カバーで覆うこととしたものであり、同カバーを下ろくろ外周面上に被嵌しても受骨が回動できることとするため、該カバーには図２、４に示す下ろくろ３の縦溝３ａに対応する複数のスリットが形成されていて、受骨は該スリットに通されている。
【０００５】
【発明が解決しようとする課題】
上述の実公昭３８−１０７５号公報に開示のカバーは複数のスリットを有するため形状が複雑で製作が高価につき、また下ろくろに受骨を支持させた上で被嵌されるもので、その際に受骨とスリット間の位置合せを必要とするから下ろくろへの取付けも決っして容易ではなく、総じて洋傘のコストをかなりに上昇させることとする。
【０００６】
そこで考えられるのは、図４に示すようなワイヤねじり締め部分４ａのみをチューブ状のカバーにて覆ってやることである。しかしそのようなチューブ状カバーの装着を可能とするためには逆に、ねじり締め部分４ａを図４のように長いものとし若干でも外向きに突出した状態としなければならず、今度はそのチューブ状カバーが外れたとすると極めて危険な状態が出現することになる。細いねじり締め部分に被嵌装着されるチューブ状カバーは大径の下ろくろ上に被嵌装着される環状カバーとは異なり、例え接着剤を用いて外れ防止を図っておいても外れる可能性が大きいと認められる。また小さなチューブ状カバーをピンセット等でつまんでねじり締め部分４ａに被嵌する作業は、神経を疲れさせる面倒な作業であり洋傘の製造コスト上で問題があると認められる。
【０００７】
そこでこの発明は洋傘の製造コストに実質的に影響を与えない極く単純な手段によって、洋傘の開閉操作に伴い得る前述の危害とか不快感を解消することとしてある、洋傘の新規な下ろくろを提供しようとするものである。
【０００８】
【課題を解決するための手段】
そのためにこの発明は図１に例示するように、下ろくろの外周面に捲回されることにより受骨端を枢支するワイヤ4 のねじり締め部分４ａを、下ろくろの外周面の一部にコーティングした合成樹脂材より成る被履層５によって被履する構成とした。
特に、下ろくろの外周面に捲回されることにより受骨端を枢支するワイヤ（４）のねじり締め部分（４ａ）を該下ろくろの縦溝（３ｃ）に押込んだ構成において、前記ねじり締め部分（４ａ）を覆わせて下ろくろの外周面に塗布した合成樹脂材を硬化せしめることにより被覆層（５）を形成したものである。
【０００９】
【作用】
したがって図２に示す前述の態様で下ろくろ３を上下摺動操作し洋傘を開閉する時に、被履層５によって被履されているワイヤねじり締め部分４ａに対し手の指が触れる可能性が無いことから、指先に怪我をする可能性は無く安全である。またワイヤねじり締め部分４ａ端とは異なり、合成樹脂の滑らかな被履層外面は指先を圧迫せず、触感を高めこそすれ何らの不快感も与えない。下ろくろ外周面の一部にコーティングする合成樹脂材より成る被履層５は、単にワイヤねじり締め端部のみをカバーするチューブ状カバーとは異なり、下ろくろ３との間に容易には外れることのない接合面積を与え得て、下ろくろ３の材質に適合させて合成樹脂材を選択する限り洋傘の耐用年数の間、まず外れることがない。
【００１０】
【実施例】
図１は、本発明の実施例を示し、中棒１上に摺動可能に設けられた下ろくろ３は従来のものと同様の縦溝３ａ、周溝３ｂ及び縦溝３ｃを有し、従来のもの同様にワイヤ４によって受骨２の基端を支持している。ワイヤ４のねじり締め部分４ａは極力短く切断して、縦溝３ｃ内に押込まれている。
【００１１】
下ろくろ３はアルミニウム合金のような金属製のものであってもよいが、一般に硬質の合成樹脂成型品、例えばポリカーボネート成型品、とする。被履層５を形成する合成樹脂材は下ろくろ３との接合力が高いものを選択し、また常温において短時間で硬化するものであるのが作業上で望ましい。適当した樹脂材としては例えば速硬タイプのものとして市販されているエボキシ系接着剤を挙げ得、同接着剤をへら等を用いて、２液性のものであれば２液混合した上で、ワイヤねじり締め部分４ａを覆わせて下ろくろ３の外周面に塗布し、硬化させる。塗布面積は、ねじり締め部分４ａさえ完全に覆う限り厳密でなくてよい。したがって作業は極く容易である。スプレー式の合成樹脂接着剤を吹付け塗布して、被履層５を得ることもできる。
【００１２】
【発明の効果】
この発明によれば作用の項で前述したように、下ろくろを操作する開閉傘操作時に被履層５によってワイヤねじり締め部分４ａに対する指先の接触が無くされて安全が確保され、またねじり締め部分４ａへの指先の接触に伴う不快感が解消されるばかりか、滑らかな被履層外面により触感が高められる。
【００１３】
そして同様に作用の項で前述したように被履層５は下ろくろ３との間に容易には外れることのない接合面積を与え得るから、上述した効果が長期間にわたり保証される。
【００１４】
また特に被履層５は、下ろくろ外周面への合成樹脂材の塗布又は吹付けによるコーティングで極く簡単に設け得るから、洋傘の製造コストに対し実質的に影響を与えず、経済性の高い単純な安全手段となっている。
【図面の簡単な説明】
【図１】この発明の一実施例を装備した洋傘の一部分を示す拡大縦断面図である。
【図２】洋傘の開閉操作状態を示す斜視図である。
【図３】受骨枢支用のワイヤを示す斜視図である。
【図４】従来例を示す、洋傘一部分の拡大縦断面図である。
【符号の説明】
２    受骨
３    下ろくろ
３ａ  縦溝
３ｂ  周溝
３ｃ  縦溝
４    ワイヤ
４ａ  ねじり締め部分
５    被履層
【図１】
0003788816.tif 000002
【図２】
0003788816.tif 000003
【図３】
0003788816.tif 000004
【図４】
0003788816.tif 000005